(57)【要約】【課題】  操作部が突出して邪魔になることなく複数の分岐管のうちの任意の分岐管を連通させたり、遮断させたりすることのできる液体混注具を提供すること。【解決手段】  液体混注具Ａを液体混注具本体１０と弁体２０で構成した。そして、液体混注具本体１０を、筒状のチャンバー部１１と、チャンバー部１１の外周面からそれぞれ外側に向って延びる合流分岐部１２、下流分岐管１３および上流分岐管１４で構成した。また、弁体２０を、端部を突出させた状態でチャンバー部１１内に設置し、弁体２０の突出した端部をチャンバー部１１内に押して移動させることにより、上流分岐管１４とチャンバー部１１との間を遮断したり、連通させたりできるようにした。弁体２０の外周面には、第１の溝部２１と、第２の溝部２２と、遮断面としての外周面部２５ａを設けた。さらに、合流分岐部１２を、合流分岐管本体１２ａと、蓋部１７と、ゴム栓１６で構成した。【選択図】  図４
2007301264.tif 000002
【特許請求の範囲】
【請求項１】
筒状に形成されたチャンバー部と、前記チャンバー部の外周面の両側から外側に向って延び前記チャンバー部の内部と連通する流路をそれぞれ備えた一対の主分岐管と、前記一対の主分岐管と所定角度を保って、前記チャンバー部の外周面から外側に向って延び前記チャンバー部の内部に対して連通遮断が可能な流路を備えた合流分岐部とからなる液体混注具本体と、
前記チャンバー部の両側開口部の少なくとも一方から端部を突出させて前記チャンバー部の軸方向に移動可能な状態で前記チャンバー部内に設置され、前記突出した端部を前記チャンバー部内に押し込んで移動させることにより、前記一対の主分岐管の一方と前記チャンバー部との間を遮断したり、前記一対の主分岐管と前記チャンバー部内との間を前記合流分岐部を介して連通させたりする弁体とを備えたことを特徴とする液体混注具。
【請求項２】
前記弁体の外周面に、前記弁体が前記チャンバー部内における一方側に位置したときに、前記一対の主分岐管の一方の主分岐管と前記合流分岐部とを連通させる第１の溝部と、前記一対の主分岐管の他方の主分岐管と前記合流分岐部とを連通させる第２の溝部とを設けるとともに、前記弁体が前記チャンバー部内における他方側に位置したときに、前記一対の主分岐管のうちの一方の主分岐管と前記合流分岐部との間を遮断する遮断面とを設けた請求項１に記載の液体混注具。
【請求項３】
前記チャンバー部における前記弁体が設置される部分に軸方向に延びるガイド部を設けるとともに、前記弁体に、前記ガイド部に係合した状態で前記ガイド部に対して移動可能な被ガイド部を設け、前記弁体が前記チャンバー部に対して軸方向にのみ移動できるようにした請求項１または２に記載の液体混注具。
【請求項４】
前記チャンバー部における前記弁体が設置される部分に円周方向に延びる係合部を設けるとともに、前記弁体に、前記係合部に対して着脱可能な被係合部を設け、前記係合部と前記被係合部とを係合させることにより、前記弁体が前記チャンバー部の所定の位置に対して静止した状態を維持できるようにした請求項１ないし３のうちのいずれか一つに記載の液体混注具。
【請求項５】
前記合流分岐部を、略円筒状の合流分岐管と、前記合流分岐管の内部上端側に取り付けられたゴム栓とで構成し、前記ゴム栓に管状挿入部材を通すことにより、前記チャンバー部内と前記管状挿入部材とを連通させることができるようにした請求項１ないし４のうちのいずれか一つに記載の液体混注具。
【発明の詳細な説明】
【技術分野】
【０００１】
本発明は、医療に用いられる複数の輸液チューブ等に連結される複数の分岐管を備え、各分岐管の連通、遮断を切り替えることのできる液体混注具に関する。
【背景技術】
【０００２】
従来から、複数の輸液チューブを用いて患者の体内に所定の生理食塩水や薬液等を供給することが行われており、このような場合に、液体混注具を用いて、各輸液チューブ間を連通させたり遮断させたりする操作が行われている。このような液体混注具の中に、３個の分岐管を備えたものがある。この液体混注具は、３個の分岐管に連通するチャンバー部と、操作部の操作によりチャンバー部内で回転する弁体とを備えており、操作部を操作して弁体を回転させることにより、任意の分岐管を連通させたり、遮断させたりすることができるように構成されている。
【０００３】
しかしながら、前述した液体混注具では、操作部がチャンバー部の周面から突出しており、この操作部に、分岐管に接続されるチューブ部材等が絡んだり、患者の体が接触して操作部が回転したりすることがある。このため、チャンバー部を円筒状に形成して、操作部をチャンバー部の軸周り方向に移動させて所定の分岐管とチャンバー部との間を連通させたり遮断させたりすることにより、操作部をチャンバー部の周面から突出させることなく、分岐管の流路を切り替えることのできる液体混注具が開発されている（例えば、特許文献１参照）。この液体混注具は、略円筒状のチャンバー部の周面を挟んで二つの分岐管が設けられ、チャンバー部内で弁体を軸周り方向に回転させることにより二つの分岐管の間を開閉できるように構成されている。
【特許文献１】特開昭６２―１７２９６２号公報
【発明の開示】
【０００４】
しかしながら、この液体混注具は、二つの分岐管しか備えてなく、単に、二つの分岐管の間を連通させたり遮断させたりするだけのものである。したがって、この液体混注具では、医療に用いられる複数の輸液チューブ等を連結して、各輸液チューブの連通、遮断を切り替えることはできない。また、二つの分岐管の間を連通させたり遮断させたりするためには、弁体を回転操作しなければならず、操作がし難くなるという問題もある。
【０００５】
本発明は、このような事情に鑑みなされたもので、その目的は、操作部が突出して邪魔になることなく複数の分岐管のうちの任意の分岐管を連通させたり、遮断させたりすることのできる液体混注具を提供することにある。
【０００６】
前述した目的を達成するため、本発明に係る液体混注具の構成上の特徴は、筒状に形成されたチャンバー部と、チャンバー部の外周面の両側から外側に向って延びチャンバー部の内部と連通する流路をそれぞれ備えた一対の主分岐管と、一対の主分岐管と所定角度を保って、チャンバー部の外周面から外側に向って延びチャンバー部の内部に対して連通遮断が可能な流路を備えた合流分岐部とからなる液体混注具本体と、チャンバー部の両側開口部の少なくとも一方から端部を突出させてチャンバー部の軸方向に移動可能な状態でチャンバー部内に設置され、突出した端部をチャンバー部内に押し込んで移動させることにより、一対の主分岐管の一方とチャンバー部との間を遮断したり、一対の主分岐管とチャンバー部内との間を合流分岐部を介して連通させたりする弁体とを備えたことにある。
【０００７】
前述したように構成した本発明の液体混注具は、チャンバー部の開口から端部を突出させた状態でチャンバー部の軸方向に沿って移動可能な弁体を備えている。そして、チャンバー部から突出した弁体の端部をチャンバー部内に押し込んで弁体をチャンバー部内で往復移動させることにより、弁体で、一対の主分岐管の一方とチャンバー部内との間を遮断させたり、一対の主分岐管を合流分岐部におけるチャンバー部側の部分を介して連通させたりすることができる。また、合流分岐部は、チャンバー部の内部に対して連通遮断が可能な流路を備えている。
【０００８】
したがって、弁体をチャンバー部内で移動させることにより、一対の主分岐管を、合流分岐部におけるチャンバー部側の部分を介して連通させるとともに、合流分岐部の流路をチャンバー部に連通させることにより、３個の分岐管の外部側端部をすべてチャンバー部を介して連通させることができる。これによって、患者の体に二種類の薬液等を供給することができる。また、その状態で合流分岐部の流路をチャンバー部に対して遮断させることにより、一対の主分岐管だけを連通させることができる。さらに、合流分岐部の流路をチャンバー部に連通させた状態で、一対の主分岐管の一方とチャンバー部内との間を遮断することにより、合流分岐部と一対の主分岐管の他方とを連通させることができる。
【０００９】
そして、この液体混注具によると、一対の主分岐管の連通遮断の切り替え操作が、弁体におけるチャンバー部から突出した端部を、チャンバー部の内部に押し込むだけで済むため、簡単であるとともに視覚的に弁体の位置を判別しやすいため操作ミスが生じ難くなる。また、流路を切り替えるための操作が、弁体をチャンバー部に対して軸方向に移動させるだけであるため、弁体を移動させるための操作部等が不要になり、操作部等がチャンバー部の外周面から突出して邪魔になるといったことがなくなる。
【００１０】
さらに、このような液体混注具をベッドの上等に置く場合には、チャンバー部の軸方向を水平方向に向けた状態になるため、患者の体に接触して弁体の位置が切り替わるといったことも生じ難くなる。なお、この場合のチャンバー部の形状としては、円筒状、四角筒状、三角筒状、楕円筒状、半円筒状等、軸方向に延びる筒状になっているものであればよい。また、弁体としては、円柱体の一部を切り欠いて一対の分岐管の一方だけを閉塞できるようにしたり、円柱体の内部に孔からなる流路を形成したりして形成されたものを使用することができる。
【００１１】
また、本発明に係る液体混注具の他の構成上の特徴は、弁体の外周面に、弁体がチャンバー部内における一方側に位置したときに、一対の主分岐管の一方の主分岐管と合流分岐部とを連通させる第１の溝部と、一対の主分岐管の他方の主分岐管と合流分岐部とを連通させる第２の溝部とを設けるとともに、弁体がチャンバー部内における他方側に位置したときに、一対の主分岐管のうちの一方の主分岐管と合流分岐部との間を遮断する遮断面とを設けたことにある。これによると、弁体を単純な構造にして、確実な流路の切り替えが行えるようにすることができる。
【００１２】
また、本発明に係る液体混注具のさらに他の構成上の特徴は、チャンバー部における弁体が設置される部分に軸方向に延びるガイド部を設けるとともに、弁体に、ガイド部に係合した状態でガイド部に対して移動可能な被ガイド部を設け、弁体がチャンバー部に対して軸方向にのみ移動できるようにしたことにある。
【００１３】
これによると、弁体がチャンバー部内でチャンバー部の軸周り方向に回転することを防止できるため、弁体が正確な軌道に沿って移動するようになる。このため、チャンバー部に対する弁体の位置がずれて流路の切り替えが正確にできなくなるといったことが生じなくなる。なお、この場合のガイド部および被ガイド部としては、溝部と突条とで構成したり、チャンバー部の内周面と弁体の外周面との形状を、チャンバー部に対して弁体が回転できない形状、例えば、楕円形や、四角形、三角形等の多角形等に形成したりすることにより構成することができる。
【００１４】
また、本発明に係る液体混注具のさらに他の構成上の特徴は、チャンバー部における弁体が設置される部分に円周方向に延びる係合部を設けるとともに、弁体に、係合部に対して着脱可能な被係合部を設け、係合部と被係合部とを係合させることにより、弁体がチャンバー部の所定の位置に対して静止した状態を維持できるようにしたことにある。
【００１５】
この場合の着脱可能とは、係合部と被係合部とが係合した状態のときに、弁体のチャンバー部から突出した端部を所定の力でチャンバー部内に押し込むと弁体を移動させることができるが、弁体のチャンバー部から突出した端部を所定の力よりも小さな力でチャンバー部内側に押しても係合部と被係合部との係合は解除されず、弁体はその位置に固定された状態を維持する関係とする。すなわち、本発明に係る液体混注具は、操作者が意識的に力を加えて弁体を移動させようとしたときだけ、弁体が移動するように構成されている。これによって、弁体の適正な操作が可能になる。
【００１６】
また、本発明に係る液体混注具のさらに他の構成上の特徴は、合流分岐部を、略円筒状の合流分岐管と、合流分岐管の内部上端側に取り付けられたゴム栓とで構成し、ゴム栓に管状挿入部材を通すことにより、チャンバー部内と管状挿入部材とを連通させることができるようにしたことにある。これによると、簡単な方法で、合流分岐部の流路を、チャンバー部内に対して連通させたり遮断させたりすることができる。また、この場合の合流分岐管としては、チャンバー部の外周面から延びる管状部や、チャンバー部の外周面から延びる管状部にさらに略円筒状の連結部材を組み付けたもので構成することができる。さらに、管状挿入部材としては、コネクターの差込部、コネクターやシリンジの雄ルアー部、注射針や鈍針等の針等を用いることができる。また、管状挿入部材の先端部が先鋭に形成されていない場合には、ゴム栓に管状挿入部材を通すためのスリットを設けておくこともできる。
【発明を実施するための最良の形態】
【００１７】
以下、本発明に係る液体混注具を図面を用いて詳しく説明する。図１ないし図３は、本発明の一実施形態に係る液体混注具Ａを示しており、この液体混注具Ａは、液体混注具本体１０と、蓋部１７と、弁体２０とで構成されている。液体混注具本体１０は、軸方向を水平方向に向けて配置された円筒状のチャンバー部１１と、チャンバー部１１の外周面における上部に形成された合流分岐部１２と、チャンバー部１１の外周面における前後両側（図１および図２では左右両側）に同軸に沿って水平方向に延びるように連結された本発明の一対の主分岐管としての下流分岐管１３と上流分岐管１４とで構成されている。
【００１８】
すなわち、合流分岐部１２、下流分岐管１３および上流分岐管１４はチャンバー部１１の外周面における軸方向に沿った同じ位置に円周方向に間隔を保って設けられており、合流分岐部１２は、水平方向に延びる下流分岐管１３と上流分岐管１４とに対して直交するように上方に向って延びている。チャンバー部１１は、図４および図５に示したように直径が略均一になって軸方向に延びる略円筒形に形成されており、内周面における左右方向（図４および図５では上下方向）の一端側部分と他端側部分とに、それぞれ本発明の係合部としての係合凹部１１ａ，１１ｂが円周に沿って形成されている。また、チャンバー部１１の内周面における後部（図４および図５では右側部分）の左右両側部分には、軸方向に延びる本発明のガイド部としてのガイド溝１１ｃ，１１ｄがそれぞれ形成されている。
【００１９】
さらに、チャンバー部１１の軸方向の中央部分における対向する部分に、二つの連通穴１５ａ，１５ｂが形成されている。そして、チャンバー部１１の外周面における連通穴１５ａに対応する部分には、下流分岐管１３が設けられており、連通穴１５ａを介してチャンバー部１１の内部と下流分岐管１３の内部に形成された流路１３ａとが連通している。また、チャンバー部１１の外周面における連通穴１５ｂに対応する部分には、上流分岐管１４が設けられており、連通穴１５ｂを介してチャンバー部１１の内部と上流分岐管１４の内部に形成された流路１４ａとが連通している。
【００２０】
チャンバー部１１の上方に形成された合流分岐部１２は、図６に示したように、チャンバー部１１と一体的に構成された合流分岐管本体１２ａと、合流分岐管本体１２ａの上端開口部に取り付けられた蓋部１７と、蓋部１７の内部における上部側部分に取り付けられたゴム栓１６とで構成されている。合流分岐管本体１２ａは、下流分岐管１３や上流分岐管１４と比較して、軸方向の長さが短く、直径が大きい円筒形に形成されている。また、図６は、図３の６−６断面を示しており、合流分岐管本体１２ａ内には左右を隔てる隔壁１８が設けられている。したがって、図３に示した合流分岐管本体１２ａ内における左右部分は隔壁１８を挟んで空間部になっている。
【００２１】
また、合流分岐管本体１２ａの外周面上部には、やや大径に形成された大径部１２ｂが設けられ、この大径部１２ｂに蓋部１７が取り付けられている。この蓋部１７は、上面中央部が開口した略キャップ状に形成され、内周面下部に合流分岐管本体１２ａの大径部１２ｂと係合可能な係合凹部１７ａが形成されている。この係合凹部１７ａを大径部１２ｂに係合させることにより、蓋部１７は合流分岐管本体１２ａに取り付けられている。また、蓋部１７の上部側部分の内周面１７ｂには、下部側の直径よりも上端開口側の直径が小さくなるようにテーパが設けられている。そして、蓋部１７の内周面１７ｂ内の上部にゴム栓１６が取り付けられている。また、蓋部１７の上部側部分の外周面には、コネクター等を連結するためのねじ１７ｃが形成されている。
【００２２】
ゴム栓１６は、天然ゴムまたは合成ゴムからなっており、蓋部１７の内部におけるテーパが設けられた内周面１７ｂの上部側部分に挿入されて、蓋部１７の内部上端側部分を塞いでいる。また、このゴム栓１６には、チャンバー部１１の内部側と合流分岐部１２の外部側との間を上下に貫通して、合流分岐部１２の流路を形成するためのスリット１６ａが設けられている。このスリット１６ａは、合流分岐部１２を使用しない時には、ゴム栓１６の弾性によって閉塞された状態になる。そして、蓋部１７の内部におけるゴム栓１６の下方には、スリット１６ａとともに合流分岐部１２の流路を構成する空間部１２ｃが形成されている。
【００２３】
下流分岐管１３は、チャンバー部１１と一体的に形成されており、チャンバー部１１側に位置する基端部１３ｂと、基端部１３ｂよりも細く形成され先端側に位置する雄ルアー部１３ｃとで構成されている。また、雄ルアー部１３ｃは基端部１３ｂ側よりも先端側の方が細くなった先細り状に形成されている。そして、下流分岐管１３の外周面における基端部１３ｂと雄ルアー部１３ｃとの境界部には、突部１３ｄが円周に沿って形成されている。
【００２４】
また、上流分岐管１４は、チャンバー部１１と一体的に形成されており、内部には、テーパ状の穴部からなる流路１４ａが形成されている。この流路１４ａは、連通穴１５ｂに連通しており、連通穴１５ｂ側部分が、連通穴１５ｂに近いほど直径が小さく、連通穴１５ｂから離れるにしたがって直径が大きくなったテーパ状に形成されている。また、流路１４ａの上流側部分（図４〜図６の右側部分）は、上流分岐管１４の開口部に近づくほど徐々に直径が大きくなったテーパ状に形成されている。そして、上流分岐管１４の開口部の外周面には、連結用のねじ部１４ｂが形成されている。
【００２５】
弁体２０は、チャンバー部１１内に設置されて、端部をチャンバー部１１内側に押し付けることによりチャンバー部１１内で軸方向に移動可能になっている。また、この弁体２０は、図７ないし図９に示したように、略円筒状に形成されており、その外周面に第１の溝部２１と第２の溝部２２とが形成されている。第１の溝部２１は、弁体２０の外周面における軸方向の中心よりもやや一方の端部側の部分で円周に沿って略半周にわたって延びる略Ｉ字状の切欠き溝で構成されている。
【００２６】
また、第２の溝部２２は、弁体２０の外周面における軸方向の中心よりもやや他方の端部側の部分で第１の溝部２２と平行して弁体２０の外周面に沿って延びる周方向溝部２２ａと、周方向溝部２２ａの一方の端部から屈曲して軸方向の一方の端部側に向って延びる軸方向溝部２２ｂとからなる略Ｌ字状の切欠き溝で構成されている。そして、第２の溝部２２の軸方向溝部２２ｂは、第１の溝部２１の一方の端部と所定間隔を保った位置に設けられており、第２の溝部２２の周方向溝部２２ａの他方の端部は、第１の溝部２１の他方の端部よりも円周方向に沿った手前側（第１の溝部２１の一端側）に位置している。
【００２７】
第１の溝部２１と第２の溝部２２の弁体２０の円周方向に沿った長さはともに円周の略半周で等しく設定されており、第１の溝部２１と第２の溝部２２の周方向溝部２２ａとの間隔および第１の溝部２１と第２の溝部２２の軸方向溝部２２ｂとの間隔は略等しく設定されている。すなわち、第２の溝部２２の軸方向溝部２２ｂが、第１の溝部２１の一方の端部よりも円周方向に沿って突出した分、第２の溝部２２の周方向溝部２２ａの他方の端部が、第１の溝部２１の他方の端部よりも円周方向に沿った手前側までしか延びていない。また、第１の溝部２１と第２の溝部２２とは、全体にわたって等しい間隔を保っている。そして、第１の溝部２１と第２の溝部２２の周方向溝部２２ａとの間には、弁体２０の外周面に沿った堰部２５が形成されている。
【００２８】
また、弁体２０の軸方向の長さは、チャンバー部１１の軸方向の長さよりも長く設定されており、弁体２０をチャンバー部１１内に設置したときに、弁体２０の端部がチャンバー部１１から突出するように構成されている。そして、弁体２０の軸方向に沿った両端部からそれぞれ弁体２０とチャンバー部１１との長さの差よりもやや長い長さ分中央側に位置する外周面の部分に、係合突起２３ａ，２３ｂが円周に沿って形成されている。この係合突起２３ａ，２３ｂは本発明の被係合部を構成するもので、それぞれチャンバー部１１の係合凹部１１ａ，１１ｂと着脱自在に係合できる。
【００２９】
さらに、弁体２０の外周面における係合突起２３ａ，２３ｂよりも端部側部分に、それぞれチャンバー部１１のガイド溝１１ｃ，１１ｄと係合可能な本発明の被ガイド部としてのガイド突起２４ａ，２４ｂが形成されている。このため、弁体２０は、ガイド突起２４ａ，２４ｂをガイド溝１１ｃ，１１ｄに係合させ、軸周り方向への回転を禁止された状態で、チャンバー部１１内を軸方向にのみ移動可能になっている。
【００３０】
また、図４に示したように弁体２０が左右方向の一方側に位置したとき（図４では下側に位置しており、矢印で示したように上流分岐管１４とチャンバー部１１およびチャンバー部１１と下流分岐管１３がそれぞれ連通した状態のとき）には、係合突起２３ｂと係合凹部１１ｂとが係合し、図５に示したように、弁体２０が左右方向の他方側に位置したとき（図５では上側に位置しており、矢印で示したように上流分岐管１４が弁体２０によって閉塞され、チャンバー部１１と下流分岐管１３とは連通した状態のとき）には、係合突起２３ａと係合凹部１１ａとが係合する。
【００３１】
この場合、係合突起２３ａと係合凹部１１ａとの係合および係合突起２３ｂと係合凹部１１ｂとの係合は強固には行われなく、操作者が弁体２０の端部をチャンバー部１１内に押し込むことにより弁体２０は押された方向に移動する。そして、係合突起２３ａと係合凹部１１ａまたは係合突起２３ｂと係合凹部１１ｂとが係合すると、操作者の操作力程度以上の力が加わらない限り、弁体２０は、図４または図５に示した位置に固定される。
【００３２】
また、チャンバー部１１内に設置された弁体２０は、図９（ａ）に示した面を上方に向け、図９（ｃ）に示した面を下流分岐管１３側に向け、図９（ｄ）に示した面を上流分岐管１４側に向けた状態になる。このため、図４に示したように、弁体２０が左右方向の一方に位置したときには、図９（ｄ）に示した状態の第１の溝部２１の下端部が連通穴１５ｂと対向し、チャンバー部１１内と上流分岐管１４とは第１の溝部２１を介して連通する。また、図９（ｃ）に示した状態の第２の溝部２２における軸方向溝部２２ｂの左側端部が連通穴１５ａと対向し、チャンバー部１１内と下流分岐管１３とは第２の溝部２２を介して連通する。
【００３３】
この場合、堰部２５の上方には、隔壁１８が位置するようになり、堰部２５の上面と隔壁１８の下面とは略密着状態で接触する。そして、隔壁１８の上方には、合流分岐部１２の空間部１２ｃが位置しているため、第１の溝部２１と第２の溝部２２とは空間部１２ｃを介して連通する。したがって、この状態では、上流分岐管１４からチャンバー部１１および合流分岐部１２を介して下流分岐管１３に薬液等を流すことができる。この場合、上流分岐管１４から第１の溝部２１内に流れた薬液等は、隔壁１８を乗り越えて第２の溝部２２に流れていく。このため、薬液等はチャンバー部１１の上方の空間部１２ｃ内を通過するようになり、チャンバー部１１内や空間部１２ｃ内に空気等が滞留することを防止できる。
【００３４】
また、図５に示したように、弁体２０が左右方向の他方に位置したときには、図９（ｄ）に示した状態の第１の溝部２１の左側の外周面部２５ａが連通穴１５ｂを閉塞して、チャンバー部１１内と上流分岐管１４との間は遮断される。この外周面部２５ａで本発明の遮断面が構成される。また、図９（ｃ）に示した第２の溝部２２における軸方向溝部２２ｂの右側端部は連通穴１５ａと対向し、チャンバー部１１内と下流分岐管１３とは第２の溝部２２を介して連通した状態を維持する。すなわち、弁体２０をチャンバー部１１内で左右に移動させたときに、連通穴１５ａと軸方向溝部２２ｂとは連通状態を維持し、連通穴１５ｂは第１の溝部２１と連通したり外周面部２５ａによって遮断されたりする。
【００３５】
また、図１０に示したように、合流分岐部１２には、シリンジ２６を着脱可能に取り付けることができる。このシリンジ２６は、薬液等を収容する薬液収容部２６ａと細径円筒状の雄ルアー部２６ｂとを備えており、雄ルアー部２６ｂを、ゴム栓１６のスリット１６ａ内に差し込むことにより薬液収容部２６ａと合流分岐部１２の空間部１２ｃとを連通させることができる。その際、雄ルアー部２６ｂとスリット１６ａの周面との間は、ゴム栓１６の弾性によって密着状態になる。
【００３６】
このため、図４に示したように上流分岐管１４と下流分岐管１３とを連通させて上流分岐管１４側から下流分岐管１３側に向けて薬液等を流しながら、その薬液等にシリンジ２６から他の薬液等を混合させることができる。また、図５に示したようにチャンバー部１１内と上流分岐管１４との間を遮断した状態で、シリンジ２６から下流分岐管１３に１種類の薬液等を流すこともできる。
【００３７】
この構成において、所定の薬液を患者（図示せず）の体内に供給する場合には、下流分岐管１３に、患者に穿刺して留置するための留置針が接続された輸液チューブ（図示せず）の後端部を接続する。また、上流分岐管１４には、患者に供給する薬液を収容する容器等から延びる輸液チューブの先端部に設けられた雄ルアー部を接続する。そして、留置針を患者の体に穿刺して留置した状態で、弁体２０を操作して容器等の薬液を患者に向けて送り出すことにより患者への薬液の供給が行われる。また、容器等から供給される薬液に加えて、他の薬液等を患者に供給する場合には、シリンジ２６を介して、他の薬液等を合流分岐部１２からチャンバー部１１内に注入する。
【００３８】
すなわち、ゴム栓１６のスリット１６ａ内にシリンジ２６の雄ルアー部２６ｂを差し込んだ状態で、弁体２０を操作して、連通穴１５ｂと第１の溝部２１が連通するようにすると、シリンジ２６、下流分岐管１３および上流分岐管１４がそれぞれチャンバー部１１と合流分岐部１２の空間部１２ｃとを介して連通する。このとき、シリンジ２６の取付の有無および弁体２０の位置からシリンジ２６、下流分岐管１３および上流分岐管１４が連通していることを視覚的に判断できる。
【００３９】
また、弁体２０を操作して、連通穴１５ｂが弁体２０の外周面部２５ａで遮断されるようにすると、シリンジ２６と下流分岐管１３とがチャンバー部１１と合流分岐部１２の空間部１２ｃとを介して連通する。また、留置針を患者の体に穿刺して留置する前に、予め少量の薬液を留置針の先端から排出しておく。これによって、薬液とともにチャンバー部１１や合流分岐部１２等の流路内の空気を外部に排出することができる。また、液体混注具Ａを板状の取付部材等に取り付けて使用することもできる。この場合、複数個の液体混注具Ａを用い、各液体混注具Ａからそれぞれ異なる薬液等を患者の体内に供給することができる。
【００４０】
このように、本実施形態に係る液体混注具Ａは、チャンバー部１１から突出した弁体２０の端部をチャンバー部１１内に押し込んで弁体２０をチャンバー部１１内で往復移動させることにより、上流分岐管１４とチャンバー部１１内との間を遮断させたり、上流分岐管１４と下流分岐管１３を合流分岐部１２の空間部１２ｃ等を介して連通させたりすることができる。また、合流分岐部１２のゴム栓１６にはスリット１６ａが設けられており、このスリット１６ａにシリンジ２６の雄ルアー部２６ｂを差し込むことによりシリンジ２６とチャンバー部１１の内部を連通することができる。
【００４１】
したがって、ゴム栓１６のスリット１６ａにシリンジ２６の雄ルアー部２６ｂを差し込んだ状態で弁体２０を移動させることにより、シリンジ２６、下流分岐管１３および上流分岐管１４をすべてチャンバー部１１および合流分岐部１２の空間部１２ｃを介して連通させることができる。これによって、患者の体に２種類の薬液等を供給することができる。また、その状態でシリンジ２６を取り外してゴム栓１６を閉塞することにより、下流分岐管１３と上流分岐管１４とだけを連通させることができる。
【００４２】
さらに、ゴム栓１６のスリット１６ａにシリンジ２６の雄ルアー部２６ｂを差し込んだ状態で、上流分岐管１４とチャンバー部１１との間を遮断することにより、シリンジ２６と下流分岐管１３とだけを連通させることができる。これらにより、患者の体に１種類の薬液等を供給することができる。さらに、その状態で、シリジン２６を取り外すことにより、合流分岐部１２、下流分岐管１３および上流分岐管１４のすべての流路を閉塞することができる。
【００４３】
また、下流分岐管１３と上流分岐管１４との連通遮断の切り替え操作が、弁体２０の端部を、チャンバー部１１の内部に押し込むだけで済むため、簡単であるとともに視覚的に弁体２０の位置を判別しやすいため操作ミスが生じ難くなる。また、弁体２０を移動させるための操作部等を特に設けず、弁体２０の両端部を操作部としているため、操作部等がチャンバー部１１の外周面から突出して邪魔になるといったことがなくなる。さらに、この液体混注具Ａをベッドの上等に置く場合には、チャンバー部１１の軸方向を水平方向に向けた状態になるため、患者の体に接触して弁体２０の位置が切り替わるといったことも生じ難くなる。
【００４４】
また、本発明に係る液体混注具Ａでは、弁体２０の外周面に、第１の溝部２１と第１の溝部２２との二つの切欠き溝を設けるとともに、外周面の一部である外周面部２５ａを遮断面とすることによって流路の切り替えができるようにしているため、弁体２０を単純な構造にして、確実な流路の切り替えが行える。さらに、チャンバー部１１の内周面に軸方向に延びるガイド溝１１ｃ，１１ｄを設けるとともに、弁体２０に、ガイド溝１１ｃ，１１ｄに係合するガイド突起２４ａ，２４ｂを設けて、弁体２０がチャンバー部１１に対して軸方向にのみ移動できるようにしている。
【００４５】
これによって、弁体２０がチャンバー部１１内で軸周り方向に回転することが防止されて、弁体２０が正確な軌道に沿って移動するようになるため、チャンバー部１１に対する弁体２０の位置がずれて流路の切り替えが正確にできなくなるといったことが生じなくなる。また、チャンバー部１１の内周面の両端側部分にそれぞれ円周方向に延びる係合凹部１１ａ，１１ｂを設けるとともに、弁体２０に、係合凹部１１ａ，１１ｂに対して着脱可能な係合突起２３ａ，２３ｂを設けている。
【００４６】
そして、係合凹部１１ａと係合突起２３ａまたは係合凹部１１ｂと係合突起２３ｂとを係合させることにより、弁体２０がチャンバー部１１の所定の位置に静止できるようにしている。これによって、弁体２０の適正な操作が可能になる。さらに、合流分岐管本体１２ａに取り付けられた蓋部１７内にゴム栓１６を取り付け、ゴム栓１６のスリット１６ａにシリンジ２６の雄ルアー部２６ｂを通すことにより、シリンジ２６とチャンバー部１１内とを連通させることができるようにしたため、簡単な方法で、合流分岐部１２の流路を、チャンバー部１１内に対して連通させたり遮断させたりすることができる。
【００４７】
また、本発明に係る液体混注具は、前述した実施形態に限定するものでなく、適宜変更実施が可能である。例えば、前述した実施形態では、チャンバー部１１にガイド溝１１ｃ，１１ｄを設けるとともに、弁体２０にガイド突起２４ａ，２４ｂを設けて、弁体２０の軸周り方向への回転を防止しているが、このガイド溝１１ｃ，１１ｄおよびガイド突起２４ａ，２４ｂに代えて、チャンバー部の内周面と弁体の外周面との形状を、楕円形や、四角形、三角形等の多角形等に形成することにより弁体の軸回り方向への回転を防止することもできる。
【００４８】
また、前述した実施形態では、ゴム栓１６にスリット１６ａを設けて、スリット１６ａに雄ルアー部２６ｂを差し込むことにより、シリンジ２６を合流分岐部１２に取り付けるようにしているが、シリンジ２６に代えて、コネクターの差込部、注射針や鈍針等の針等をゴム栓１６に差し込むこともできる。なお、注射針を差し込む場合、ゴム栓１６に、スリット１６ａを設ける必要はなくなる。また、前述した実施形態では、合流分岐部１２を合流分岐管本体１２ａと、蓋部１７と、ゴム栓１６とで構成しているが、合流分岐管本体内にゴム栓を取り付けて合流分岐管本体とゴム栓とで合流分岐部を構成してもよい。さらに、液体混注具を構成するそれ以外の部分の形状や材料等についても適宜変更して実施することができる。
【図面の簡単な説明】
【００４９】
【図１】本発明の一実施形態に係る液体混注具を示した平面図である。
【図２】液体混注具を示した側面図である。
【図３】液体混注具を示した正面図である。
【図４】図２の４−４断面図である。
【図５】図４の状態から弁体を移動させた状態の液体混注具を示した横断面図である。
【図６】液体混注具の縦断面図である。
【図７】弁体の斜視図である。
【図８】図７の弁体を他の方向から見た状態を示した斜視図である。
【図９】弁体を示しており、（ａ）は平面図、（ｂ）は正面図、（ｃ）は左側面図、（ｄ）は右側面図である。
【図１０】シリンジが取り付けられた液体混注具を示した側面図である。
【符号の説明】
【００５０】
１０…液体混注具本体、１１…チャンバー部、１１ａ，１１ｂ…係合凹部、１１ｃ，１１ｄ…ガイド溝、１２…合流分岐部、１２ａ…合流分岐管本体、１２ｃ…空間部、１３…下流分岐管、１３ａ，１４ａ…流路、１４…上流分岐管、１５ａ，１５ｂ…連通穴、１６…ゴム栓、１７…蓋部、２０…弁体、２１…第１の溝部、２２…第２の溝部、２３ａ，２３ｂ…係合突起、２４ａ，２４ｂ…ガイド突起、２５ａ…外周面部、２６…シリンジ、Ａ…液体混注具。
【図１】
2007301264.tif 000003
【図２】
2007301264.tif 000004
【図３】
2007301264.tif 000005
【図４】
2007301264.tif 000006
【図５】
2007301264.tif 000007
【図６】
2007301264.tif 000008
【図７】
2007301264.tif 000009
【図８】
2007301264.tif 000010
【図９】
2007301264.tif 000011
【図１０】
2007301264.tif 000012